(57)【特許請求の範囲】
【請求項１】
肛門部に向けて洗浄水を噴出する洗浄ノズルを有した洗浄水供給手段と、複数の噴射孔を設けたノズルヘッドとノズル軸体で構成される乾燥ノズルと連通する空気噴射手段と、前記噴射孔を開閉する開閉手段とを備え、前記開閉手段は噴射孔を覆う開閉蓋をノズルヘッドに設けた取付け部で枢支し、前記ノズルヘッドもしくは前記開閉蓋に開閉量規制部を設けた乾燥機能付き洗浄便座。
【請求項２】
肛門部に向けて洗浄水を噴出する洗浄ノズルを有した洗浄水供給手段と、複数の噴射孔を設けたノズルヘッドとノズル軸体で構成される乾燥ノズルと連通する空気噴射手段と、前記噴射孔を開閉する開閉手段とを備え、前記開閉手段はノズルヘッドとノズルヘッド内に設けた噴射孔と対を成す穴部を有するスライド部で構成し、前記スライド部をスライドさせることで複数の噴射孔を一括開閉させた乾燥機能付き洗浄便座。
【請求項３】
開閉手段を電磁機構と前記スライド部で構成し電磁機構をＯＮ、ＯＦＦすることでスライド部を断続的にスライドさせた請求項２に記載の乾燥機能付き洗浄便座。
【請求項４】
スライド部のスライドをノズルヘッド内の空気圧で行った請求項２に記載の乾燥機能付き洗浄便座。
【請求項５】
開閉手段に蓄圧機構を設けた請求項２に記載の乾燥機能付き洗浄便座。
【請求項６】
噴射孔の孔径よりもスライド部に設けた穴部の径の方を大きくした請求項２に記載の乾燥機能付き洗浄便座。
【請求項７】
ノズルヘッドは上部角の曲面形状に連なる平面形状の噴射孔部を備え、前記噴射孔部の幅を噴射孔の孔径と略同等にした請求項２に記載の乾燥機能付き洗浄便座。
【発明の詳細な説明】
【０００１】
【発明の属する技術分野】
本発明は、肛門部を温水等の洗浄水で洗浄し、その後肛門部に付着した残留洗浄水を乾燥させる乾燥機能付き洗浄便座に関するものである。
【０００２】
【従来の技術】
従来、用便後に洗浄を行うことで濡れた状態となった肛門部の乾燥を行うこの種の洗浄便座としては例えば図１２に示すように、電気ヒータで加熱した温風を臀部に当てて乾燥するものが通常である。
【０００３】
同図において１は便器、２は洗浄便座であり、暖房便座３、便蓋４、洗浄装置（図示せず）を内蔵する本体５および便器１内に突出して人体６の肛門部洗浄を行う洗浄ノズル７より構成されている。また、８は本体５に内蔵される乾燥装置で、送風機９、加熱ヒータ１０、送風ダクト１１から構成されている。
【０００４】
そして上記構成において便器１内でモータ等により肛門部下方に位置するように本体５内から突出された洗浄ノズル７から噴出される洗浄水で洗浄した後、乾燥スイッチ（図示せず）の投入により加熱ヒータ１０に通電されるとともに送風機９が駆動され、温風が人体の後方から矢印に示すように供給され、肛門部を乾燥するようになっていた。また特許的には特許第６２５２９１号公報に記載されるように、便座内に高圧空気通路を設け便座に複数個の空気噴出ノズルを設けて肛門部に高圧空気を噴射させたり、前方にノズルを設けて同様に便座内の高圧空気通路を介して前方から空気を噴射させるものがあった。
【０００５】
【発明が解決しようとする課題】
しかしながら、前記従来の構成では、肛門部洗浄後の水滴が肛門部周囲の皮膚等に付着した状態に対して、臀部後方の本体に配設された送風ダクトから吹出される４０℃前後で風速が２ｍ／秒程度の温風を当てて乾燥を行う方式であるが、吹出された温風は座位状態の臀部をなでるように流れ肛門部には直接あたらないため、毛根等に表面張力で付着している水分を乾燥させるには非常に長い時間を要し、又、使用時の単調感に対して使用者がいらいらしたり苦痛を感じるといった課題があった。また、最近では皮膚表面の水分が多いままで無理に温度を上げ水分を蒸発させて乾燥を行うため、皮膚が過乾燥状態となり、皮膚のかゆみ、かぶれ等が生じるといった課題も見受けられる。
【０００６】
【課題を解決するための手段】
本発明は上記課題を解決するため、肛門部に向けて洗浄水を噴出する洗浄ノズルを有した洗浄水供給手段と、噴射孔を設けたノズルヘッドとノズル軸体で構成される乾燥ノズルと連通する空気噴射手段とを備え、前記噴射孔を開閉する開閉手段を設けたものである。
【０００７】
これによって、被洗浄部に付着した洗浄後の残留洗浄水で特に臀部表面等に付着する大きな水滴等は一瞬にして吹飛ばされる。また、開閉手段によって洗浄中の洗浄水が噴射孔に付着するのを防止して、乾燥時に噴流といっしょに洗浄水が噴出され被乾燥部に付着しないようにして、乾燥に要する時間を大幅に短縮することができる。さらに、開閉手段によって噴射孔への異物付着も防止し安定性、耐久性が向上するというものである。
【０００８】
【発明の実施の形態】
請求項１に記載の発明は、肛門部に向けて洗浄水を噴出する洗浄ノズルを有した洗浄水供給手段と、複数の噴射孔を設けたノズルヘッドとノズル軸体で構成される乾燥ノズルと連通する空気噴射手段と、前記噴射孔を開閉する開閉手段とを備え、前記開閉手段は噴射孔を覆う開閉蓋をノズルヘッドに設けた取付け部で枢支し、前記ノズルヘッドもしくは前記開閉蓋に開閉量規制部を設けたものであり、噴流の力で開閉蓋を開け、開閉蓋の自重で閉めることができ、構造が簡単で安価な開閉手段を提供できる。また、開閉蓋をノズルヘッドの前方端部に取付け、開閉量規制部を設けたことにより、開閉蓋が噴流の方向規制を行うことができ、噴流が乾燥ノズルの後方に噴射され、洗浄水は後方に吹き飛ばされる。よって、洗浄水が人体局部に飛散することがなくなり乾燥性能と衛生性が向上するというものである。
【０００９】
請求項２に記載の発明は、肛門部に向けて洗浄水を噴出する洗浄ノズルを有した洗浄水供給手段と、複数の噴射孔を設けたノズルヘッドとノズル軸体で構成される乾燥ノズルと連通する空気噴射手段と、前記噴射孔を開閉する開閉手段とを備え、前記開閉手段をノズルヘッドとノズルヘッド内に設けた噴射孔と対を成す穴部を有するスライド部で構成し、前記スライド部をスライドさせることで複数の噴射孔を一括開閉させることにより、構造が簡単で、開閉動作の安定した開閉手段を提供することができる。また、乾燥ノズルの外部に開閉蓋のような可動部がないので、乾燥ノズルの移動にも有利である。
【００１０】
請求項３に記載の発明は、請求項２に記載の発明において、開閉手段を電磁機構とスライド部で構成し電磁機構をＯＮ、ＯＦＦすることでスライド部をスライドさせ、噴射孔の開閉を断続的に行って噴射させたため、小型の空気ポンプでも高圧の噴流を得ることができ、洗浄水の吹飛ばし効果がえられる噴射流速を維持することができる。
【００１１】
請求項４に記載の発明は、請求項２に記載の発明において、スライド部のスライドをノズルヘッド内の空気圧で行えるようにしたため、電磁機構が不要となり、安価な開閉手段を提供することができる。
【００１２】
請求項５に記載の発明は、請求項２に記載の発明において、開閉手段に蓄圧機構を設けたことにより、ノズルヘッド内が高圧になって初めてスライド部がスライドして噴射孔が開くようになり、簡単な構成で高圧の断続噴流を得ることができる開閉手段を提供することができる。
【００１３】
請求項６に記載の発明は、請求項２に記載の発明において、噴射孔の孔径よりもスライド部に設けた穴部の径の方を大きくしたことにより、噴射孔と穴部の組み合わせで、噴流の吹き出し部の断面形状が擬似的に円錐になり、噴射に伴う圧力損失が軽減され、空気ポンプを小型化することができる。
【００１４】
請求項７に記載の発明は、請求項２に記載の発明において、ノズルヘッドは上部角の曲面形状に連なる平面形状の噴射孔部を備え、前記噴射孔部の幅を噴射孔の径と略同等にしたことにより、洗浄時の洗浄水が飛散してノズルヘッドにかかっても、噴射孔部に溜まることなく落下するようになり、乾燥時に噴流といっしょに洗浄水が噴出され被乾燥部に付着することがなく、乾燥に要する時間を短縮することができる。
【００１５】
【実施例】
以下、本発明の実施例について図面を用いて説明する。
【００１６】
（実施例１）
図１は本発明の第１の実施例における乾燥機能付き洗浄便座の概観斜視図を示すものである。
【００１７】
図１において、１２は便器、１３は洗浄便座本体であり、この洗浄便座本体１３には使用者が座って用を足す便座１４、非使用時の便座を覆う便蓋１５が回動自在に設置してある。また、洗浄便座本体１３内には用便後の肛門部を洗浄するための洗浄ノズル１６を有した洗浄水供給手段１７と、ノズル軸体１８とその先に噴射孔１９を設けたノズルヘッド２０から構成される乾燥ノズル２１と連通する空気噴射手段２２と、それらの駆動制御を行う制御部２３等が設けられている。２４は洗浄ノズル１６や乾燥ノズル２１を肛門部下方の便器内に移動させる駆動部で、その他温水をつくる熱交換部（図示せず）や温水を噴出させるための機能部品（図示せず）で構成されている。
【００１８】
図２は本発明の第１の実施例における乾燥機能付き洗浄便座の要部の斜視図である。２
５は開閉手段で、開閉蓋２５ａ、取付け部２５ｂ、規制部２５ｃで構成されている。開閉蓋２５ａは、ノズルヘッド２０に設けられた取付け部２５ｂに回転自在に取付けられている。ノズルヘッド２０に設けられた規制部２５ｃには開閉蓋２５ａの回転を規制する作用がある。
【００１９】
以下動作を説明する。洗浄終了後、ノズル軸体１８が伸び、人体の臀部近傍に乾燥ノズル２１が移動すると同時に空気噴出手段２２が作動し、噴射孔１９から高速の空気が噴射される。開閉蓋２５ａは噴射力によって取付け部２５ｂを中心に回転し、噴流が臀部まで到達して臀部に付着した洗浄水の水滴を吹き飛ばす。この時、回転した開閉蓋２５ａは規制部２５ｃに動きを規制され、自重で復帰できない位置まで回転することはない。噴流がなくなると、開閉蓋２５ａは自重で回転し、噴射孔１９を覆う。乾燥ノズル２１は、噴射孔１９から噴射を繰り返しながら臀部全体に渡って移動する。このように、洗浄後の肛門部及び周囲臀部等に付着する残留水の内、水滴状のものは瞬時に吹き落され、また肛門部等表面に付着している水分も高速風で乾燥促進が図られる。また、開閉手段２５によって洗浄中の洗浄水が噴射孔１９に付着するのを防止して、乾燥時に噴流といっしょに洗浄水が噴出され被乾燥部に付着しないようにして、乾燥に要する時間を短縮することができる。さらに、開閉手段２５によって噴射孔１９への異物付着も防止し安定性、耐久性が向上するというものである。
【００２０】
（実施例２）
図３は本発明の第２の実施例における乾燥機能付き洗浄便座の要部の斜視図である。２５は開閉手段で、開閉蓋２５ａ、取付け部２５ｂ、規制部２５ｃで構成されている。開閉蓋２５ａは、ノズルヘッド２０の前方端部２０ａに設けられた取付け部２５ｂに回転自在に取付けられている。ノズルヘッド２０に設けられた規制部２５ｃには開閉蓋２５ａの回転を規制する作用がある。
【００２１】
以下動作を説明する。洗浄終了後、ノズル軸体１８が伸び、人体の臀部近傍に乾燥ノズル２１が移動すると同時に空気噴出手段２２が作動し、噴射孔１９から高速の空気が噴射される。開閉蓋２５ａは噴射力によって取付け部２５ｂを中心に回転する。開閉蓋２５ａは規制部２５ｃによって回転が規制されており、ノズルヘッド２０と開閉蓋２５ａとが成す角度は９０°未満に設定されている。このため、噴流の方向が変えられ、ノズルヘッド２０の後方へ噴射され、噴流が臀部まで到達して臀部に付着した洗浄水の水滴を後方へ吹き飛ばす。噴流がなくなると、開閉蓋２５ａは自重で回転し、噴射孔１９を覆う。乾燥ノズル２１は、噴射孔１９から噴射を繰り返しながら臀部全体に渡って移動する。このように、洗浄水が後方へ吹き飛ばされるため、人体局部に飛散することがなくなり乾燥性能と衛生性が向上するというものである。
【００２２】
（実施例３）
図４は、本発明の第３の実施例における乾燥機能付き洗浄便座の要部の断面図、図５は、本発明の第３の実施例における乾燥機能付き洗浄便座の要部の平面図である。２６は、ノズルヘッド内２０ｂに設けられたスライド部で噴射孔１９と対を成す穴部２６ａが設けられている。これにより、スライド部２６をスライドさせることで複数の噴射孔１９を一括開閉させることができ、構造が簡単で、開閉動作の安定した開閉手段２５を提供することができる。また、乾燥ノズル２１の外部に開閉蓋２５ａのような可動部がないので、乾燥ノズル２１の移動にも有利である。
【００２３】
（実施例４）
図６は、本発明の第４の実施例における乾燥機能付き洗浄便座の要部の平面図である。２７は電磁機構で、スライド部２６に結合されている。電磁機構２７をＯＮ、ＯＦＦすることでスライド部２６をスライドさせ、噴射孔１９の開閉を断続的に行って噴射させたた
め、小型の空気ポンプでも高圧の噴流を得ることができ、洗浄水の吹飛ばし効果がえられる噴射流速を維持することができるというものである。
【００２４】
（実施例５）
図７は、本発明の第５の実施例における乾燥機能付き洗浄便座の要部の断面図である。２６はノズルヘッド内２０ｂに設けられたスライド部である。スライド部２６の先端には、空気室２６ｂが設けられている。前記スライド部２６と空気室２６ｂでノズルヘッド内２０ｂに密閉空間を構成している。２０ｃはノズルヘッド内２０ｂ先端部に設けられた位置決め部である。２８はスライド部２６の先端とノズルヘッド内２０ｂの先端の間に設けられた圧縮ばねである。
【００２５】
次に動作を説明すると、空気噴射手段２２によってノズルヘッド内２０ｂに空気が流入するとノズルヘッド内２０ｂの圧力が上がり、圧縮ばね２８の布勢力に打ち勝ってスライド部２６がスライドする。この時、位置決め部２０ｃによってスライド部２６がスライドし過ぎないように位置決めされる。これにより、噴射孔１９と穴部２６ａが重なり、噴射孔１９から空気が噴射される。乾燥が終了して、空気の流入が停止すると、ノズルヘッド内２０ｂの圧力が下がり、圧縮ばね２８の作用でスライド部２６が元の位置に戻り、噴射孔１９が閉じられる。このように、スライド部２６のスライドをノズルヘッド内２０ｂの空気圧で行えるようにしたため、電磁機構２７が不要となり、安価な開閉手段を提供することができるものである。
【００２６】
（実施例６）
図８、図９は、本発明の第６の実施例における乾燥機能付き洗浄便座の要部の断面図である。２９はノズルヘッド２０の端部近傍に設けられた蓄圧機構である。２９ａはスライド規制部で先端が半球状に形成されており、スライド部２６の端部と当接しスライド部の動きを規制する。２９ｂは蓄圧ばねで、この布勢力の大きさでノズルヘッド内２０ｂの圧力の大きさを制御できるものである。２９ｃはカバーでスライド規制部２９ａ、蓄圧ばね２９ｂを収納している。
【００２７】
次に動作を説明すると、空気噴射手段２２によってノズルヘッド内２０ｂに空気が流入するとノズルヘッド内２０ｂの圧力が上がり、圧縮ばね２８の布勢力に打ち勝ってスライド部２６がスライドしようとするが、スライド規制部２９ａによって動きが規制される。ノズルヘッド内２０ｂの圧力が更に上昇すると、スライド部２６はスライド規制部２９ａを押し下げながら徐々にスライドする。完全にスライド規制部２９ａが押し下げられると、スライド部２６は規制物を失って一気にスライドする。この時、位置決め部２０ｃによってスライド部２６がスライドし過ぎないように位置決めされる。これにより、噴射孔１９と穴部２６ａが重なり、噴射孔１９から高圧の空気が噴射される。空気が噴射されるとノズルヘッド内２０ｂの圧力が下がり、圧縮ばね２８はスライド部２６を元の位置に押し戻す。スライド規制部２９ａも蓄圧ばね２９ｂによって押し上げられ、再びスライド部２６の動きを規制する。この繰り返しで噴出孔１９から断続的に高圧の空気が噴出される。このようにノズルヘッド内２０ｂが高圧になって初めてスライド部２６がスライドして噴射孔１９が開くようになり、簡単な構成で高圧の断続噴流を得ることができるものである。
【００２８】
（実施例７）
図１０は、本発明の第７の実施例における乾燥機能付き洗浄便座の要部の断面図である。スライダ部２６に設けた穴部２６ａの径２６ｃの大きさを噴射孔１９の孔径１９ａより大きくしたものである。これにより、噴射孔１９と穴部２６ａの組み合わせで、噴流の吹き出し部の断面形状が擬似的に円錐になり、噴射に伴う圧力損失が軽減され、空気ポンプを小型化することができるというものである。
【００２９】
（実施例８）
図１１は、本発明の第８の実施例の乾燥機能付き洗浄便座の要部の横断面図である。ノズルヘッド２０の噴射孔部の幅２０ｄを噴射孔１９の孔径１９ａと略同等にしたことにより、洗浄時の洗浄水が飛散してノズルヘッド２０にかかっても、噴射孔部に溜まることなく落下するようになり、乾燥時に噴流といっしょに洗浄水が噴出され被乾燥部に付着することがなく、乾燥に要する時間を短縮することができるというものである。
【００３０】
【発明の効果】
以上説明したように本発明によれば、乾燥に要する時間を大幅に短縮することができる。
【図面の簡単な説明】
【図１】  本発明の実施例１における乾燥機能付き洗浄便座の概観を示す斜視図
【図２】  本発明の実施例１における乾燥機能付き洗浄便座の要部の斜視図
【図３】  本発明の実施例２における乾燥機能付き洗浄便座の要部の斜視図
【図４】  本発明の実施例３における乾燥機能付き洗浄便座の要部の断面図
【図５】  本発明の実施例３における乾燥機能付き洗浄便座の要部の平面図
【図６】  本発明の実施例４における乾燥機能付き洗浄便座の要部の平面図
【図７】  本発明の実施例５における乾燥機能付き洗浄便座の要部の断面図
【図８】  本発明の実施例６における乾燥機能付き洗浄便座の要部の断面図
【図９】  本発明の実施例６における乾燥機能付き洗浄便座の要部の断面図
【図１０】  本発明の実施例７における乾燥機能付き洗浄便座の要部の断面図
【図１１】  本発明の実施例８における乾燥機能付き洗浄便座の要部の横断面図
【図１２】  従来の乾燥機能付き洗浄便座の構成図
【符号の説明】
１６  洗浄ノズル
１７  洗浄水供給手段
１８  ノズル軸体
１９  噴射孔
１９ａ  噴射孔部の幅
２０  ノズルヘッド
２０ａ  前方端部
２０ｄ  噴射孔部の幅
２１  乾燥ノズル
２２  空気噴射手段
２５  開閉手段
２５ａ  開閉蓋
２５ｂ  取付け部
２６  スライド部
２６ａ  穴部
２６ｃ  穴径
２７  電磁機構
２９  蓄圧機構
【図１】
0003896857.tif 000002
【図２】
0003896857.tif 000003
【図３】
0003896857.tif 000004
【図４】
0003896857.tif 000005
【図５】
0003896857.tif 000006
【図６】
0003896857.tif 000007
【図７】
0003896857.tif 000008
【図８】
0003896857.tif 000009
【図９】
0003896857.tif 000010
【図１０】
0003896857.tif 000011
【図１１】
0003896857.tif 000012
【図１２】
0003896857.tif 000013